(57)【要約】【解決手段】  ガス放電ランプを作動させるための方法および回路において、その動作すなわちガス放電ランプの出力光を制御するために、ガス放電ランプで発生している物理的なプロセスが特定される。加えて、本発明の方法（回路）は、作動電流をガス放電ランプへ供給し、かつガス放電ランプの作動パラメータを特定するステップ（または手段）を有する。特定された作動パラメータに基づいて、ガス放電ランプの物理的なランプパラメータの値が特定される。物理的なランプパラメータの特定値およびガス放電ランプで発生している物理的なプロセスに対応する数学的モデルを用いて、ガス放電ランプの作動状態が、推定される。ガス放電ランプで発生しているプロセスの物理原理に基づくモデルを用いて、ガス放電ランプの物理的状態を特定することが可能である。従って、ガス放電ランプに供給される作動電流が、ガス放電ランプの特定された作動状態に基づいて制御される。
2010512637.tif 000002
【特許請求の範囲】
【請求項１】
ガス放電ランプを作動させる方法であって：
作動電流を前記ガス放電ランプへ供給するステップ；
前記ガス放電ランプの作動パラメータを特定するステップ；
前記特定された作動パラメータに基づき、前記ガス放電ランプの物理的なランプパラメータの値を特定するステップ；
前記物理的なランプパラメータの前記特定された値および対応する前記ガス放電ランプの物理的なプロセスのモデルを使用して、前記ガス放電ランプの作動状態を特定するステップ；および
前記ガス放電ランプの前記特定された作動状態に基づき、前記ガス放電ランプの前記作動電流を制御するステップ；
を有する方法。
【請求項２】
ステップ（ｅ）は、ユーザ制御装置から受信されるユーザ―設定に基づき前記作動電流を制御するステップを有する、請求項１記載の方法。
【請求項３】
ユーザ制御装置に前記特定された作動状態を供給するステップ、を更に有する請求項１記載の方法。
【請求項４】
ステップ（ｃ）は、更に推定された物理的なランプパラメータに基づき前記物理的なランプパラメータを特定するステップ、を有する請求項１記載の方法。
【請求項５】
ステップ（ｃ）は、適応アルゴリズム、ランアップ・トレーシング法、疑似ランダム雑音シーケンス（ＰＲＮＳ）法、およびこれらのいかなる組み合わせをも有するグループから選択される方法を使用して、前記物理的なランプパラメータを特定するステップ、を有する請求項１記載の方法。
【請求項６】
ガス放電ランプを作動させるランプ駆動システムであって：
前記ガス放電ランプにランプ電流を供給するためのランプ駆動回路と；
前記ガス放電ランプの作動パラメータを検出するためのランプ端子に接続された検出回路と；
前記ランプ電流を制御するために前記ランプ駆動回路に接続され、かつ前記作動パラメータを受信するために前記検出回路に接続された制御システムと、を有し、前記制御システムは、受信された作動パラメータに基づき、物理的なランプパラメータを特定し、かつ特定された物理的なランプパラメータ、および対応するガス放電ランプの物理的なプロセスのモデルを使用してランプ作動状態を特定し、前記ガス放電ランプの前記特定された作動状態に基づき前記ランプ電流を制御するよう構成された、
ランプ駆動システム。
【請求項７】
前記制御システムにユーザ―設定を供給するための前記制御システムに接続されたユーザ制御装置、を更に有する請求項６記載のランプ駆動システム。
【請求項８】
前記制御システムに接続されるユーザ制御装置、を更に有し、
前記制御システムは、前記ユーザ制御装置に前記ランプ作動状態を供給するように構成された、請求項６記載のランプ駆動システム。
【請求項９】
前記制御システムは、更に推定された物理的なランプパラメータに基づき、前記物理的なランプパラメータを特定するように構成された、請求項６記載のランプ駆動システム。
【請求項１０】
前記制御システムは、適応アルゴリズム、ランアップ・トレーシング法、疑似ランダム雑音シーケンス（ＰＲＮＳ）法、およびこれらのいかなる組み合わせをも有するグループから選択される方法を使用して、前記物理的なランプパラメータを特定するように構成された、請求項６記載のランプ駆動システム。
【請求項１１】
前記制御システムは、マイクロコントローラ、および前記マイクロコントローラに接続されたメモリを有し、前記メモリは、前記受信された作動パラメータに基づき前記物理的なランプパラメータを特定し、かつ前記特定された物理的なランプパラメータを使用して、かつ対応する前記ガス放電ランプの前記物理的なプロセスのモデルを使用して、前記ランプ作動状態を特定するように、前記マイクロコントローラに指示するためのマイクロコントローラ実行命令を有する、請求項６記載のランプ駆動システム。
【請求項１２】
請求項６に記載のランプ駆動回路、および前記ランプ端子に接続したガス放電ランプを有し、前記ガス放電ランプは、特にウルトラハイプレッシャ（ＵＨＰ）放電ランプまたは高輝度放電（ＨＩＤ）ランプである、ランプ集成部品。
【請求項１３】
請求項１に記載の方法のステップ（ｃ）および（ｄ）のうちの少なくとも一つを実行するよう前記マイクロコントローラに命令するためのマイクロコントローラ実行可能命令を有するコンピュータープログラム。
【発明の詳細な説明】
【技術分野】
【０００１】
本発明は、ランプ駆動システムおよびランプを作動させる方法に関する。より詳細には、ランプ電流を制御することによってガス放電ランプを作動させるためのランプ駆動システム及び方法に関する。
【背景技術】
【０００２】
ガス放電ランプ、例えば高圧ハロゲン化金属ランプは、高輝度放電（ＨＩＤ：Ｈｉｇｈ  Ｄｉｓｃｈａｒｇｅ）ランプとして知られている。電気エネルギーは、可視および不可視の電磁放射および熱に変化する。出力光すなわち可視電磁放射の特性は、ガス放電ランプの特性に依存する。例えば、電磁放射を生成する物理的なプロセスは、密閉器の中で生じる。公知の密閉器、発光管は、閉円筒容器であり、その中に例えば２つのタングステンの電極が配置されている。発光管は、ガラス、水晶またはセラミックでできていてもよい。発光管は、例えば水銀、金属ハロゲン化物および／または不活性ガスの混合物で満たされる。金属ハロゲン化物は、金属およびハロゲンの合成物である。高圧水銀放電ランプに金属ハロゲン化物を混ぜると、スペクトル品質および発光効率が強化される。セラミック放電管は、水晶発光管と比較してより高い温度で作動してもよく、このことにより高い気体圧力にしてもよく、これによって出力光の特性が改選され得る。
【０００３】
出力光の特性は、更に電極に依存する。例えば、ハロゲン化金属ランプのライフタイムにおける性能は、それらのライフタイムにおける電極の性能に強く関連している。
【０００４】
高輝度放電ランプを作動させるための周知のランプ駆動回路は、フィードフォワード制御に基づいている。かかるフィードフォワード制御方法においては、高輝度放電ランプの実際の状態に関する情報が制御のために特定されず利用されておらず、利用する高輝度放電ランプは平均的ランプ動作をするものとみなされている。しかしながら、上述したように、それぞれのランプは製造業者、生産のばらつき、小パワー・オペレーション（調光）、およびライフタイムにおける変化によって、固有のランプ動作を有する。そして、結果としてランプパラメータ値の広いばらつきが発生する。高輝度放電ランプまたは他のガス放電ランプのいかなるものも、実際の動作をフィードバックすることによって、より良好なランプ電流制御が行える。ランプ動作を制御するためのフィードバックは、発光管で発生している物理的プロセスの少なくとも一つの物理的なランプパラメータに関連しなければならない。しかしながら、物理的なランプパラメータは、直接的に観測できず、また特定可能でない。
【０００５】
非特許文献１に開示されたランプ作動方法は、物理的なランプパラメータの代わりにフィードバック制御を採用している。
【先行技術文献】
【非特許文献】
【０００６】
【非特許文献１】Van  Casteren,  D.H.J,  et  al.  Industry  Applications  Conference,  2005,  40th  IAS  Annual  Meeting,  Conference  Record,  Vol.  2,  2-6  Oct.  2005,  p.  1182-1187
【非特許文献２】"Physics  based  MATLAB  model  for  ceramic  metal  halide  lamps",  Van  Casteren,  D.H.J,  et  al.  Industry  Applications  Conference,  2006,  41st  IAS  Annual  Meeting,  Conference  Record,  8-12  Oct.  2006
【非特許文献３】"Nonlinear  high-intensity  discharge  lamp  model  including  a  dynamic  electrode  voltage  drop",  Yan,  W.  et  al.,  Science,  Measurement  and  Technology,  IEE  Proceedings,  Vol.  150,  Issue  4,  July  3,  2003,  p.  161-167
【非特許文献４】"An  Equivalent  Conductance  Model  for  High  Intensity  Discharge  Lamps",  Anton,  J.  C.  et  al.,  Industry  Applications  Conference,  2002,  37th  IAS  Annual  Meeting,  Conference  Record,  Vol.  2,  13-18  Oct.  2002,  p.  1494-1498
【非特許文献５】"Modeling  and  control  of  automotive  HID  lamp  ballast",  In-Kyu  Lee,  et  al.,  Power  Electronics  and  Drive  Systems,  1999  (PEDS  ‘99),  Proceedings  of  the  IEEE  1999  International  Conference,  Vol.  1,  27-29  July  1999,  p.  506-510
【発明の概要】
【発明が解決しようとする課題】
【０００７】
［発明の目的］
本発明の目的は、ガス放電ランプを作動させるために、ランプを作動させる方法およびランプ駆動回路を提供することである。ここで、作動電流は、実際の物理的なランプ作動に基づいて制御される。
【課題を解決するための手段】
【０００８】
［発明の開示］
上記発明の目的は、請求項１に記載のランプ作動方法、および請求項６に記載のランプ駆動システムによって達成される。
【０００９】
本発明によれば、作動電流は、ガス放電ランプに供給される。少なくとも一つの作動パラメータは特定（determined）される。作動パラメータは、ランプの作動において観測可能な特性である。例えば、作動パラメータは、ガス放電ランプによる電流の流れから生じる放電電圧でもよい。ガス放電ランプの特定された作動パラメータを用いて、物理的なランプパラメータの値が特定される。物理的なランプパラメータの値は、ガス放電ランプの発光管で発生している物理的なプロセスに関する情報を提供する。
【００１０】
物理的な１つのまたは多くの物理的なランプパラメータを用いることによって、および、少なくとも上述の物理的なプロセスの数学的モデルを用いた値を使用することによって、物理的なランプパラメータ、ガス放電ランプの状態または条件を有するモデルが特定されてもよい。上述したように、物理的なプロセスは、発光管、電極および発光管中の化学的蒸気の混合に係る物理的状態に影響される。よって、物理的なランプパラメータの値は、ガス放電ランプの物理的状態のインジケータとなる。したがって、物理的なランプパラメータ、および、物理的なプロセスの適切なモデルを用いることによって特定された値に基づいて、ガス放電ランプまたはその部分の物理的状態が推定され、特定されてもよい。
【００１１】
ガス放電ランプの物理的状態またはその一部を特定することによって、ガス放電ランプが所望の光、（例えば所望の出力レベルを有し、所望の光の色等）を出力するように、ガス放電ランプに供給されるランプ電流が制御されてもよい。例えば、可視光出力の効率の減少を考慮して、供給された電流が適切に制御されてもよい。特定された物理的状態は、ランプの物理的状態に基づく最低および／または最大調光（ｄｉｍ）レベルを特定するために用いてもよい。更に、物理的状態は、定常状態の作動の間、発光管の安定な放電を得るために用いてもよい。また、他の態様および特性が、制御されてもよく、特定されてもよく、および／または、考慮されてもよい。
【００１２】
所望の制御に適応するために、物理的なプロセスの数学的モデルが、選択され、および／または開発されてもよい。多くの数学的モデルに関する先行技術が知られている。例えば、非特許文献２は、ハロゲン化金属ランプの小信号動特性を得る方法を開示している。加えて、ランプの非線形動作を改善し、かつランプ−バラスト性能を改良するために、特定された動特性を利用する方法を開示している。非特許文献３は、電圧降下パラメータを含むプラズマ・アーク放電の物理法則に基づくモデルを開示している。非特許文献４は、ランプの電気的コンダクタンスに基づくガス放電ランプの物理的なプロセスの数学的モデルを開示している。非特許文献５は、高輝度放電ランプおよびランプ−バラストの小信号モデリングの経験的モデリングを開示している。このように、所望の制御機能に基づいて、適切なモデルが、上述の非特許文献あるいは他の先行技術から選択されてもよい。または、他のモデルが開発されてもよい。
【００１３】
なお、前述の開示においては、バラスト回路設計、すなわちランプを作動させる回路設計のモデルの使用も参照される。いずれの開示も、リアルタイム・フィードバック制御のためのフィードバック回路のモデルをインプリメントすることを提案していない。
【００１４】
実施例において、ランプ駆動システムは、ユーザ制御装置を含む。ユーザ制御装置の使用によって、例えば、ユーザは、調光レベルのユーザ設定を制御システムに提供してもよい。本発明の方法による、フィードバック制御を用いた制御システムは、特定された物理的状態およびユーザの所望の設定に基づいて放電ランプに供給される電流を調整してもよい。
【００１５】
実施例において、ランプ駆動システムは、ユーザ制御装置を有する。この制御システムは、ランプの特定された物理的状態を制御装置に供給するように構成されてもよい。物理的状態は、予測される残りのライフタイムおよび／または調光の最低レベルであってもよい。かかる情報に基づいて、ユーザは、例えば、ガス放電ランプを交換することを決めてもよい。
【００１６】
実施例において、制御システムは、特定されたランプ作動パラメータを受信し、以前の特定されたランプの作動に関するパラメータ値に基づき、またはランプの作動に関するパラメータ平均値に基づき、推定されたランプ作動パラメータを生成する。適切なアルゴリズムを用いて、物理的なランプパラメータ値は、特定されたランプ作動パラメータ値および推定されたランプ作動パラメータ値に基づいて、特定される。例えば、推定されたランプ作動パラメータは、推定された物理的なランプパラメータを使用して特定されてもよい。特定されたランプ作動パラメータ値と推定されたランプ作動パラメータ値の差がゼロであれば、推定されたランプ作動パラメータが正しいことがわかる、しかしながら、この差がゼロに等しくない場合、推定された物理的なランプパラメータ値は調整されてもよい。それによって、ランプ作動パラメータ値が調整される。調整されたランプ作動パラメータ値を使用して、差が再び特定され、差がゼロになるまで繰り返される。これによって、適切な推定された物理的なランプパラメータ値が取得される。
【００１７】
実施例において、物理的なランプパラメータ値を特定するために、適応アルゴリズムを有するグループから選択された方法が用いられてもよい。例えば上記のように、ランアップ（ｒｕｎ−ｕｐ）（および／またはパワー）トレーシング方法、疑似ランダム雑音シーケンス（ＰＲＮＳ：Ｐｓｅｕｄｏ  Ｒａｎｄｏｍ  Ｎｏｉｓｅ  Ｓｅｑｕｅｎｃｅ）、およびそれらの組み合わせのいかなるものも選択できる。パラメータ値を特定する他の適切な周知の方法が利用されてもよい。
【００１８】
実施例において、制御システムは、物理的なランプパラメータ値を特定するためのメモリおよびマイクロコントローラを有する。マイクロコントローラに接続されるメモリは、マイクロコントローラに指示するためのマイクロコントローラで実行可能な、マイクロコントローラ実行命令を有する。このマイクロコントローラ実行命令は、受信された作動パラメータに基づいて物理的なランプパラメータを特定し、特定された物理的なランプパラメータを使用し、かつガス放電ランプの物理的なプロセスに対応するモデルを使用して、ランプ作動状態を特定する市販のマイクロコントローラは、リアルタイムで、この算出を実行する充分な能力を有する。これによって、フレキシブルなランプ駆動システムが提供される。特に、メモリが書換え可能メモリである場合、モデルを有するインストラクションは他のセットのインストラクションと置き換えられてもよい。これによって、他のモデルを使用するためにランプ駆動システムをプログラムし直すことができる。したがって、本発明は、更にマイクロコントローラ実行命令を有するコンピュータープログラムを提供する。マイクロコントローラ実行命令は、本発明の方法の実施例に従って、マイクロコントローラに少なくとも一つの物理的なランプパラメータ値を特定することを実行させ、かつランプの物理的状態を特定する。
【００１９】
以下、本発明は、添付の図面を参照しながら、実施例を説明する。なお、この実施例は、本願発明を限定するものではない。
【図面の簡単な説明】
【００２０】
【図１】本発明の一実施例による方法およびシステムを示す図である。
【発明を実施するための形態】
【実施例】
【００２１】
［実施例の詳細な説明］
図１において、ガス放電ランプ１６を作動させるランプ駆動システムが図示されている。ガス放電ランプ１６は、高輝度放電（ＨＩＤ）ランプ（例えばハロゲン化金属ランプ）でもよい。あるいは、ウルトラハイプレッシャ（ＵＨＰ）ランプまたは他の種類のいかなるガス放電ランプでもよい。ランプ駆動システムは、ランプ駆動回路１０（ランプ−バラスト回路とも呼ばれる）を有する。ランプ駆動回路１０は、制御可能な電流供給源１２および／または共振回路１４を含んでもよい。ランプ駆動回路１０は、ガス放電ランプ１６に適切な作動電流ＩＬを供給するように構成される。制御可能な電流供給源１２は、例えばスイッチモード電源装置（例えばバックコンバータ）でもよい。
【００２２】
ランプ駆動回路１０は、半ブリッジまたはフルブリッジ・トポロジの（例えば、交流を供給するための）インバータ回路を有する。このような実施例では、供給された電流値だけが制御可能ではなく、交流の周波数も制御可能であってもよい。
【００２３】
ランプ駆動システムは、ランプ作動パラメータ値、および制御システム２０を検出するための検出回路１８を有している。図示の実施例では、制御システム２０は、物理パラメータ推定回路２２、物理的状態オブザーバ回路２４および規則ベースコントローラ回路２６を有する。規則ベースコントローラ回路２６は、作動電流ＩＬを制御するため、放電ランプ１６の発光出力を制御するためにランプ駆動回路１０に、ランプ作動制御信号Ｓ８を供給するように構成される。
【００２４】
検出回路１８は物理パラメータ推定回路２２にランプ作動パラメータ信号Ｓ２を供給する。この信号は、ランプ作動パラメータ値を有する。物理パラメータ推定回路２２は、物理的なランプパラメータ値を特定するためにランプ作動パラメータ値を使用する。これに対して、物理パラメータ推定回路２２は、適応アルゴリズムを使用してもよく、あるいは、動的な識別および推定方法を採用してもよい。例えばランアップ・トレーシング法、または、疑似ランダム雑音シーケンス（ＰＲＮＳ）法、またはこれらの組み合わせのいかなるものを用いてもよい。特定されたランプ作動パラメータは、例えば放電ランプ１６により出力された作動電流ＩＬの流れによって生じるランプ電圧でもよい。実施例において、作動電流ＩＬは、作動電流変動に伴うランプ電圧変化を特定するために、変化するよう制御してもよい。
【００２５】
特定された作動パラメータがランプ電圧である場合、物理パラメータ推定回路２２は推定された作動パラメータ信号Ｓ３、例えば推定された放電電圧、を更に供給されてもよい。推定された作動パラメータ信号Ｓ３は物理的状態オブザーバ回路２４によって出力されてもよい。これは、放電ランプ１６で発生している少なくとも一つの物理的なプロセスの数学的モデルを含んでいてもよい。かかる推定は、以前に特定されたランプ作動パラメータおよび／または以前に特定された物理的なランプパラメータおよび／または予め定められた平均物理パラメータ値に基づいてもよい。例えば、物理パラメータ推定回路２２は、特定されたランプ作動パラメータ（ランプ作動パラメータ信号Ｓ２）と推定されたランプ作動パラメータ（推定された作動パラメータ信号Ｓ３）の差に基づく物理的なランプパラメータ値を推定してもよい。
【００２６】
物理パラメータ推定回路２２は推定された物理パラメータ信号Ｓ４として物理パラメータ値を出力する。それは物理的状態オブザーバ回路２４に供給される。物理的状態オブザーバ回路２４は、上述したように、放電ランプ１６で発生している物理的なプロセスのうちの少なくとも１つの数学的モデルを備えている。モデルは物理的なランプパラメータを有する（この物理的なランプパラメータは、推定された物理パラメータ信号Ｓ４が物理パラメータ推定回路２２から受信されるまで、その値は未知である）。数学的モデルおよび物理的なランプパラメータ値を用いて、物理的状態オブザーバ回路２４は、放電ランプ１６の物理的状態を特定する。このように、作動放電ランプ１６の実際の物理的状態は、数学的モデルを使用して推定される。
【００２７】
特定された物理的状態は、推定された物理的状態信号Ｓ５としての物理的状態オブザーバ回路２４から出力される。物理的状態は、電極、残されたライフタイム（寿命）、最小限の調光（dim）レベルその他の物理的状態に関する情報を含んでもよい。例えば、最小限の調光レベルは、放電ランプ１６のライフタイムの間、変化し得る（例えば電極の変化による）。したがって、状態オブザーバ回路２４はランプ駆動システムに接続される放電ランプ１６用の実際の最小限の調光レベルを特定してもよい。これによって、ランプ駆動システムが、放電ランプ１６が消えない最小限の調光レベルにランプを制御することができるようにする。
【００２８】
制御システム２０は、（図示された）規則ベースコントローラ回路２６を有してもよい。なお、他の種類のコントローラ回路が用いられてもよい。規則ベースコントローラ回路２６は、物理的状態オブザーバ回路２４によって定まる物理的状態に対応する作動電流ＩＬを制御するために、ランプ駆動回路１０にランプ作動制御信号Ｓ８を供給する。
【００２９】
更に、規則ベースコントローラ回路２６は、例えばワイヤレスで、ユーザ制御装置２８に接続されてもよい。ユーザ制御装置２８は、例えば、ユーザが望むユーザ設定光を示すユーザ入力を有する設定入力信号Ｓ７を提供するように構成されてもよい。かかる設定は規則ベースコントローラ回路２６に供給されてもよい。そして、これに応じて作動電流ＩＬを制御してもよい。
【００３０】
規則ベースコントローラ回路２６（または物理的状態オブザーバ回路２４）は、物理的状態出力信号Ｓ６としてユーザ制御装置２８に物理的状態を供給してもよい。ユーザ制御装置２８は、予想される残りのライフタイム、および／または、最小限の調光レベル（おそらく新しい放電ランプ１６の最小限の調光レベルと比較した値）を示してもよい。
【００３１】
このように、本発明において、実際のランプ・オペレーション条件に基づく良好なランプ−バラスト間の処理を達成するために物理的状態推定器に接続される放電ランプ制御系が提案された。ランプモデルをベースとした状態推定器は、他のランプ制御回路のいかなるものにも組み合わせることができる。
【００３２】
本発明の詳細な実施例が本願明細書において開示されているが、開示された実施例は、発明の単なる典型的な例であるということを理解すべきである。そして、それは様々な形態で実施されてもよい。したがって、本願明細書において開示される特定の構造、および機能詳細は制限するものと解釈されてはならない。これらは、請求項の根拠として、および事例として、当業者が本願発明に関して、実際に適切に詳細な構成を様々に採用することができるように説明を行ったものである。更に、特定の手段が相互に異なる従属クレームにおいて詳述されているという単なる事実は、これらの手段の組合せが有効に使われることができないことを示すものではない。
【００３３】
更に、本願明細書において用いられる用語および表現は、制限することを目的としていない。むしろ、発明を理解できる説明を提供することを目的としている。本願明細書において使用される用語「a」、または、「an」は、１または２以上を意味する。本願明細書における用語「含むincluding」および「持つhaving」は、「有するcomprising」を意味する（オープンであり、他の構成を排除しない）。本願明細書における「接続されるcoupled」は、結合を意味するが、直接でなくてもよく、必ずしも線で接続される必要はない。
【図１】
2010512637.tif 000003
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
ガス放電ランプを作動させる方法であって：
（ａ）作動電流を前記ガス放電ランプへ供給するステップ；
（ｂ）前記ガス放電ランプの作動パラメータを特定するステップ；
（ｃ）前記特定された作動パラメータに基づき、前記ガス放電ランプの物理的なランプパラメータの値を特定するステップ；
（ｄ）前記物理的なランプパラメータの前記特定された値および対応する前記ガス放電ランプの物理的なプロセスのモデルを使用して、前記ガス放電ランプの作動状態を特定するステップ；および
（ｅ）前記ガス放電ランプの前記特定された作動状態に基づき、前記ガス放電ランプの前記作動電流を制御するステップであって、ユーザ制御装置から受信されるユーザ設定に基づき、前記ガス放電ランプの前記特定された作動状態における前記作動電流を制御することを含むステップ；
を有する方法。
【請求項２】
ユーザ制御装置に前記特定された作動状態を供給するステップ、を更に有する請求項１記載の方法。
【請求項３】
ステップ（ｃ）は、更に推定された物理的なランプパラメータに基づき前記物理的なランプパラメータを特定するステップ、を有する請求項１記載の方法。
【請求項４】
ステップ（ｃ）は、適応アルゴリズム、ランアップ・トレーシング法、疑似ランダム雑音シーケンス（ＰＲＮＳ）法、およびこれらのいかなる組み合わせをも有するグループから選択される方法を使用して、前記物理的なランプパラメータを特定するステップ、を有する請求項１記載の方法。
【請求項５】
ガス放電ランプを作動させるランプ駆動システムであって：
前記ガス放電ランプにランプ電流を供給するためのランプ駆動回路と；
前記ガス放電ランプの作動パラメータを検出するためのランプ端子に接続された検出回路と；
前記ランプ電流を制御するために前記ランプ駆動回路に接続され、かつ前記作動パラメータを受信するために前記検出回路に接続された制御システムと、
前記ガス放電ランプの前記特定された作動状態において、前記制御システムにユーザ設定を供給するための前記制御システムに接続されたユーザ制御装置と、を有し、
前記制御システムは、受信された作動パラメータに基づき、物理的なランプパラメータを特定し、かつ特定された物理的なランプパラメータ、および対応するガス放電ランプの物理的なプロセスのモデルを使用してランプ作動状態を特定し、前記ガス放電ランプの前記特定された作動状態に基づき前記ランプ電流を制御するよう構成された、
ランプ駆動システム。
【請求項６】
前記制御システムに接続されるユーザ制御装置、を更に有し、
前記制御システムは、前記ユーザ制御装置に前記ランプ作動状態を供給するように構成された、請求項５記載のランプ駆動システム。
【請求項７】
前記制御システムは、更に推定された物理的なランプパラメータに基づき、前記物理的なランプパラメータを特定するように構成された、請求項５記載のランプ駆動システム。
【請求項８】
前記制御システムは、適応アルゴリズム、ランアップ・トレーシング法、疑似ランダム雑音シーケンス（ＰＲＮＳ）法、およびこれらのいかなる組み合わせをも有するグループから選択される方法を使用して、前記物理的なランプパラメータを特定するように構成された、請求項５記載のランプ駆動システム。
【請求項９】
前記制御システムは、マイクロコントローラ、および前記マイクロコントローラに接続されたメモリを有し、前記メモリは、前記受信された作動パラメータに基づき前記物理的なランプパラメータを特定し、かつ前記特定された物理的なランプパラメータを使用して、かつ対応する前記ガス放電ランプの前記物理的なプロセスのモデルを使用して、前記ランプ作動状態を特定するように、前記マイクロコントローラに指示するためのマイクロコントローラ実行命令を有する、請求項５記載のランプ駆動システム。
【請求項１０】
請求項５に記載のランプ駆動回路、および前記ランプ端子に接続したガス放電ランプを有し、前記ガス放電ランプは、特にウルトラハイプレッシャ（ＵＨＰ）放電ランプまたは高輝度放電（ＨＩＤ）ランプである、ランプ集成部品。
【請求項１１】
請求項１に記載の方法のステップ（ｃ）および（ｄ）のうちの少なくとも一つを実行するよう前記マイクロコントローラに命令するためのマイクロコントローラ実行可能命令を有するコンピュータープログラム。
【手続補正２】
【補正対象書類名】明細書
【補正対象項目名】０００８
【補正方法】変更
【補正の内容】
【０００８】
［発明の開示］
上記発明の目的は、請求項１に記載のランプ作動方法、および請求項５に記載のランプ駆動システムによって達成される。
【手続補正３】
【補正対象書類名】明細書
【補正対象項目名】００１４
【補正方法】変更
【補正の内容】
【００１４】
ランプ駆動システムは、ユーザ制御装置を含む。ユーザ制御装置の使用によって、例えば、ユーザは、調光レベルのユーザ設定を制御システムに提供してもよい。本発明の方法による、フィードバック制御を用いた制御システムは、特定された物理的状態およびユーザの所望の設定に基づいて放電ランプに供給される電流を調整してもよい。
【手続補正４】
【補正対象書類名】明細書
【補正対象項目名】００２９
【補正方法】変更
【補正の内容】
【００２９】
更に、規則ベースコントローラ回路２６は、例えばワイヤレスで、ユーザ制御装置２８に接続されてもよい。ユーザ制御装置２８は、例えば、ユーザが望むユーザ設定光を示すユーザ入力を有する設定入力信号Ｓ７を受信するように構成されてもよい。かかる設定は規則ベースコントローラ回路２６に供給されてもよい。そして、これに応じて作動電流ＩＬを制御してもよい。
【国際調査報告】
2010512637.tif 000004
2010512637.tif 000005